(57)【要約】【課題】環境に配慮した合成樹脂製の封印部材を有する封印具の改ざんの痕跡を目視で容易に確認することができ且つ封印時の検印等の印の陰影を見やすくすることができる封印具を提供する。【解決手段】開口部を有するタクシーメータ本体に開口部を覆うカバー部材を固定するためのボルトに取り付けられ且つ該ボルトに螺嵌されたナットの抜けを防止する封印具１０において、封印具１０は、封印線１１と封印部材１２とを備えている。封印部材１２は、合成樹脂からなり且つ封印線１１が挿通される一対の貫通孔１５ａ，１５ｂが設けられた第１の面としての側面１２ｃを備えている。この側面１２ｃの少なくとも貫通孔１５ａ，１５ｂの周囲に該側面１２ｃの周方向に等間隔で連続する細かい筋状の溝が形成された凹凸が設けられている。【選択図】図１
2008181033.tif 000002
【特許請求の範囲】
【請求項１】
開口部を有するタクシーメータ本体に前記開口部を覆うカバー部材を固定するためのボルトに螺嵌されたナットの抜けを防止するとともに、封印線と封印部材とを備えた封印具において、
前記封印部材は、合成樹脂からなり且つ前記ボルトの先端に取り付けられた前記封印線が挿通される貫通孔が設けられた第１の面を備え、
前記封印部材の前記第１の面の少なくとも前記貫通孔の周囲に細かく均質な模様の凹凸が設けられていることを特徴とする封印具。
【請求項２】
前記凹凸が、前記封印部材の前記第１の面に連接する第２の面に設けられていることを特徴とする請求項１に記載の封印具。
【請求項３】
前記第２の面には、前記貫通孔の縮小する方向に押圧されて封印されたことを示す印が形成されていることを特徴とする請求項２に記載の封印具。
【発明の詳細な説明】
【技術分野】
【０００１】
本発明は、タクシーメータ等に用いられる封印具に関し、特に、合成樹脂製の封印部材を有する封印具に関する。
【背景技術】
【０００２】
従来、タクシーには、走行距離と走行時間によって乗車料金を計算するタクシーメータが搭載されている。このタクシーメータにおいては、タクシーメータ本体に乗車料金等の設定を行うための設定用スイッチ等が設けられており、この設定用スイッチをカバー部材で覆ってボルトとナットによって固定している。そして、タクシーメータを新たに設置する際や料金改定時にのみデータ設定や補正を行え、それ以外の時にはデータの操作を行えないように、タクシー車両に設置する際にタクシーメータの設定用スイッチを覆うカバー部材を固定するボルトに封印具を取り付けて封印を行う。
【０００３】
この種の封印具として、例えば、本願出願人によって、実用新案登録第２５７０３４５号に開示された封印具が提案されている。実用新案登録第２５７０３４５号に開示された封印具は、大径部と小径部とを交互に連接した凹凸部を有する封印線と、互いに交差する２方向の孔を有する封印部材としての封印鉛とを備えている。
【０００４】
封印線は、タクシーメータのカバー部材を固定するためのボルトに設けられた貫通孔に通されるとともに該封印線の両端部を封印鉛の２方向の孔それぞれに挿通して、両端部の凹凸部を交差する２方向の孔内で係合させて、封印鉛から突出する余分な両端部を切断する。そして、封印鉛を押し潰して押圧変形させることで該封印鉛の２方向の孔内で封印線が緊密に係合して、封印具による封印が完了する。この封印鉛を押圧変形させる際に該封印鉛には検印等が付される。
【０００５】
上述した封印具には、封印部材として封印鉛が使用されているので環境を配慮するために、環境にやさしい材料を使用した封印部材として合成樹脂製の封印部材が提案されている。そして、合成樹脂製にすることによって、環境に配慮した封印具とすることができる。
【特許文献１】実用新案登録第２５７０３４５号公報
【発明の開示】
【発明が解決しようとする課題】
【０００６】
しかしながら、前述した構成の封印具としての合成樹脂製の封印部材では、ドライヤー等で封印部材を加熱することによって、封印時に押し潰した該封印部材の貫通孔を広げて封印線を抜き取ることができる。このため、タクシーメータの封印具の封印を解くことができ、乗車料金等の改ざんが可能になるとともに、加熱して封印部材を変形させるため改ざんの痕跡を見て確認することが困難であった。
【０００７】
従って、本発明の目的は、環境に配慮した合成樹脂製の封印部材を有する封印具の改ざんの痕跡を目視で容易に確認することができるとともに、封印時の検印等の印の陰影を見やすくすることができる封印具を提供することにある。
【課題を解決するための手段】
【０００８】
前記課題を解決し目的を達成するために、請求項１に記載された発明は、開口部を有するタクシーメータ本体に前記開口部を覆うカバー部材を固定するためのボルトに螺嵌されたナットの抜けを防止するとともに、封印線と封印部材とを備えた封印具において、前記封印部材は、合成樹脂からなり且つ前記ボルトの先端に取り付けられた前記封印線が挿通される貫通孔が設けられた第１の面を備え、前記封印部材の前記第１の面の少なくとも前記貫通孔の周囲に細かく均質な模様の凹凸が設けられていることを特徴とする。
【０００９】
請求項２に記載された発明は、請求項１に記載の発明において、前記凹凸が、前記封印部材の前記第１の面に連接する第２の面に設けられていることを特徴とする。
【００１０】
請求項３に記載された発明は、請求項２に記載の発明において、前記第２の面には、前記貫通孔の縮小する方向に押圧されて封印されたことを示す印が形成されていることを特徴とする。
【００１１】
請求項１に記載された発明によれば、封印部材の貫通孔が設けられた第１の面の少なくとも貫通孔の周囲に細かく均質な模様の凹凸が設けられている。このため、押圧による変形と熱による変形との違いを目視で判別することができるとともに、キズ等が付き易く目立たせることができる。
【００１２】
請求項２に記載された発明によれば、凹凸が、第１の面に連接する第２の面に設けられている。このため、押圧による変形と熱による変形との違いを目視でより確実に判別することができるとともに、キズ等が付き易く目立たせることができる。
【００１３】
請求項３に記載された発明によれば、第２の面に封印されたことを示す印が形成される。このため、第２の面が押圧された際の印の部分と印以外の部分との変形量の差を大きくすることができ、印の部分と印以外の部分との境界を明瞭にすることができる。
【発明の効果】
【００１４】
以上説明したように、請求項１に記載された発明によれば、押圧による変形と熱による変形との違いを目視で判別することができるとともに、キズ等が付き易く目立たせることができるので、封印具の改ざんの痕跡を目視で容易に確認することができる。
【００１５】
請求項２に記載された発明によれば、押圧による変形と熱による変形との違いを目視で確実に判別することができるとともに、キズ等が付き易く目立たせることができるので、封印具の改ざんの痕跡を目視で容易に確認することができる。
【００１６】
請求項３に記載された発明によれば、第２の面が押圧された際の印の部分と印以外の部分との変形量の差を大きくすることができ、印の部分と印以外の部分との境界を明瞭にすることができるので、封印されたことを示す印の陰影を見やすくすることができる。
【発明を実施するための最良の形態】
【００１７】
以下、本発明の一実施形態に係る封印具を図１乃至図６を参照して説明する。本発明の一実施形態に係る封印具は、図５に示すタクシーメータ１に用いられる。
【００１８】
タクシーメータ１は、タクシー車両に搭載されて、このタクシー車両の走行距離と走行時間によって乗車料金を計算する装置である。タクシーメータ１は、図５に示すように、タクシーメータ本体２と、タクシーメータ本体２に取り付けられるカバー部材３とを備えている。
【００１９】
タクシーメータ本体２は、内部に走行距離と走行時間によって乗車料金を計算する回路や機構等を収容するとともに、タクシー車両に搭載された際の乗員側に図示しない開口部を有している。開口部には、該開口部の下端部にカバー部材３と重なる重なり部２ａ（図６に示す）が設けられており、この重なり部２ａに後述するボルト７を挿通するための孔２ｂが一対設けられている。そして、開口部を覆うようにカバー部材３が取り付けられる。
【００２０】
カバー部材３は、タクシーの乗員側に乗車料金等を表示する表示部４と、この表示部４の周囲に各種操作スイッチ５等が配されている。カバー部材３は、タクシーメータ本体２の開口部を覆うように取り付けられて、ボルト７とナット８によって固定される。また、カバー部材３には、該カバー部材３の下端部にタクシーメータ本体２の重なり部２ａに設けられた一対の孔２ｂそれぞれに対応したボルト７を挿通するための通し孔３ａ（図６に示す）が一対設けられている。
【００２１】
ボルト７は、図５又は図６に示すように、タクシーメータ本体２の重なり部２ａに設けられた孔２ｂとカバー部材３の通し孔３ａとの双方を通されて、カバー部材３から該ボルト７の先端が突出して取り付けられてナット８が螺嵌される。また、ボルト７は、先端に孔７ａが設けられており、この孔７ａに後述する封印具１０を構成する封印線１１が挿通されて該封印具１０が取り付けられる。
【００２２】
封印具１０は、タクシーメータ本体２とカバー部材３とを固定するボルト７に取り付けられる。封印具１０は、封印線１１と、封印部材１２とを備えている。封印線１１は、図１に示すように、断面が略円形の長尺の紐状に形成されている。封印線１１は、ボルト７の先端に設けられた孔７ａに挿通される。
【００２３】
封印部材１２は、合成樹脂で形成されている。封印部材１２は、図１又は図２に示すように、略円柱状に形成され、側面１２ｃに開口する一対の貫通孔１５ａ，１５ｂが設けられている。一対の貫通孔１５ａ，１５ｂは、一方の貫通孔１５ａが側面１２ｃの上面１２ａ寄りに設けられ且つ他方の貫通孔１５ｂが側面１２ｃの底面１２ｂ寄りに設けられて、封印部材１２の中心部で互いに直交するように形成されている。
【００２４】
また、封印部材１２の側面１２ｃには、図２（ａ）又は図３（ａ）に示すように、周方向に等間隔で連続する細かい筋状の溝が形成された凹凸２１が設けられている。側面１２ｃは、特許請求の範囲に記載の第１の面を成している。
【００２５】
さらに、封印部材１２の上面１２ａと底面１２ｂとの双方には、図３（ｂ）に示すように、シボ等の細かい模様が形成された凹凸２２が設けられている。上面１２ａは、特許請求の範囲に記載の第２の面を成している。
【００２６】
前述した本発明の凹凸２１，２２とは、深さが０．００１ｍｍ〜０．５ｍｍ程度の、熱による変形と押圧による変形との違いが目視によって判別ができる細かい凹凸を言う。
【００２７】
上述した構成の封印具１０のボルト７への取り付けを図１又は図４を参照して説明する。まず、封印線１１をボルト７の先端部の孔７ａに通して該封印線１１を駒結びしてボルト７に取り付ける。次に、ボルト７に取り付けた封印線１１の一端１１ａを封印部材１２の一方の貫通孔１５ａに通し、他端１１ｂを封印部材１２の他方の貫通孔１５ｂに通す。そして、一方の貫通孔１５ａを通された封印線１１の一端１１ａをさらに他方の貫通孔１５ｂに通し、他方の貫通孔１５ｂを通された封印線１１の他端１１ｂをさらに一方の貫通孔１５ａに通す。
【００２８】
続いて、図４（ａ）に示すように、一対の貫通孔１５ａ，１５ｂ双方にそれぞれが通された封印線１１の両端１１ａ，１１ｂが、左巻きに捻られて捻り部１１ｃが形成される。この捻り部１１ｃは、掴む長さを確保して余分な部分が切り落とされる。こうして、封印具１０がボルト７に取り付けられる。
【００２９】
さらに、前述したボルト７に取り付けられた封印部材１２は、図示しない封引用治具によって該封印部材１２の上面１２ａと底面１２ｂとが挟まれる。そして、上面１２ａと底面１２ｂとが互いに近づく方向に押圧されて、図４（ｂ）に示すように、封印部材１２の上面１２ａに検印マーク２５が形成されるとともに、封印部材１２の貫通孔１５ａ，１５ｂ双方が縮小するように潰されて封印線１１を固定して封印される。こうして、封印具１０によってボルト７に螺嵌したナット８が抜けなくなり封印が完了する。
【００３０】
本実施形態によれば、封印部材１２の貫通孔１５ａ，１５ｂが設けられた側面１２ｃに凹凸２１が設けられている。このため、押圧による変形と熱による変形との違いを目視で判別することができるとともに、キズ等が付き易く目立たせることができる。よって、封印具１０の改ざんの痕跡を目視で容易に確認することができる。
【００３１】
また、封印部材１２の側面１２ｃに連接する上面１２ａに凹凸２２が設けられている。このため、押圧による変形と熱による変形との違いを目視で確実に判別することができるとともに、キズ等が付き易く目立たせることができる。よって、封印具１０の改ざんの痕跡を目視で容易に確認することができる。
【００３２】
さらに、凹凸２２が設けられた上面１２ａには、図示しない封引用治具によって封印部材１２を封印する際に、上面１２ａと底面１２ｂとが互いに近づく方向、即ち、貫通孔１５ａ，１５ｂの縮小する方向に押圧されて、封印されたことを示す印としての検印マーク２５が形成される。このため、検印マーク２５の部分と検印マーク２５以外の部分との変形量の差を大きくすることができ、検印マーク２５の部分と検印マーク２５以外の部分との境界を明瞭にすることができる。よって、封印されたことを示す印としての検印マーク２５の陰影を見やすくすることができる。
【００３３】
また、前述した実施形態では、封印部材１２の側面１２ｃに凹凸２１を設けて上面１２ａ及び底面１２ｂに凹凸２２を設けている。しかしながら、本発明はこれに限定するものではなく、例えば、側面１２ｃに凹凸２２を設けても良く、封印部材１２の側面１２ｃと上面１２ａに細かく均質な模様の凹凸が設けられていれば如何なる形状の凹凸であっても良い。
【００３４】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００３５】
【図１】本発明の一実施形態に係る封印具を示す分解斜視図である。
【図２】図１に示された封印具の封印部材を示し、（ａ）は側面図であり、（ｂ）は平面図である。
【図３】図２に示された封印部材の表面を示し、（ａ）は封印部材の側面の凹凸を拡大して示す説明図であり、（ｂ）は封印部材の上面の凹凸を拡大して示す説明図である。
【図４】（ａ）は図１に示された封印具をボルトに組付けた状態を示す正面図であり、（ｂ）は（ａ）に示された封印具の封印部材が封印された状態を示す斜視図である。
【図５】本発明の一実施形態に係る封印具が用いられるタクシーメータを示す斜視図である。
【図６】図５に示されたタクシーメータ本体とカバー部材との固定箇所を示す部分断面図である。
【符号の説明】
【００３６】
２  タクシーメータ本体
３  カバー部材
７  ボルト
８  ナット
１０  封印具
１１  封印線
１２  封印部材
１２ａ  上面（第２の面）
１２ｃ  側面（第１の面）
１５ａ，１５ｂ  貫通孔
２１，２２  凹凸
２５  検印マーク（印）
【図１】
2008181033.tif 000003
【図２】
2008181033.tif 000004
【図３】
2008181033.tif 000005
【図４】
2008181033.tif 000006
【図５】
2008181033.tif 000007
【図６】
2008181033.tif 000008